【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】
遊技場内に設置された各遊技機と、前記各遊技機に対応して設けられると共に該各遊技機で遊技している遊技者の生体固有情報を取得する各生体固有情報取得装置と、前記各遊技機及び前記各生体固有情報取得装置に対してデータ通信可能に接続された管理装置と、前記管理装置にデータ通信可能に接続された記憶装置と、前記管理装置に接続された会員登録者の生体固有情報を取得する会員登録用の生体固有情報取得装置とを備え、
前記管理装置は、前記各生体固有情報取得装置によって取得された遊技者の生体固有情報に対応付けて前記各遊技機の遊技機識別情報及び遊技機情報を前記記憶装置に順次累積記憶する手段と、前記会員登録用の生体固有情報取得装置によって取得された会員登録者の生態固有情報に一致する遊技者の生体固有情報が前記記憶装置に記憶されている記憶済みの遊技者の生体固有情報の中にあるか否かを判別し、記憶済みの遊技者の生体固有情報の中にある場合に、前記記憶済みの遊技者の生体固有情報、及び前記遊技者の生体固有情報に対応付けて記憶された前記各遊技機の遊技機識別情報及び遊技機情報、に対応付けして会員情報の登録を行う手段と、を備えたことを特徴とする遊技履歴収集システム。
【請求項２】
前記会員登録用の生体固有情報取得装置によって取得された会員登録者の生態固有情報に一致する遊技者の生体固有情報が前記記憶装置に記憶されている記憶済みの遊技者の生体固有情報の中に複数ある場合に、各生体固有情報に対応付けて累積記憶されている遊技機情報及び生体固有情報のうち少なくとも１つを画面表示すると共に、画面表示されている複数の生体固有情報及び／又は遊技機情報のそれぞれについて選択入力の受け付けが可能とされ、選択入力があると、選択入力の結果に応じて生体固有情報及び／又は遊技機情報に対応付けして会員情報の登録を行うことを特徴とする請求項１に記載の遊技履歴収集システム。
【請求項３】
前記生体固有情報取得装置は、遊技者を撮像する撮像装置であり、前記生体固有情報取得装置によって取得された遊技者の生体固有情報は、前記撮像装置によって撮像された遊技者画像であることを特徴とする請求項１又は２に記載の遊技履歴収集システム。
【請求項４】
前記管理装置は、前記記憶装置から前記遊技者画像に対応付けて累積記憶されている前記遊技機識別情報及び遊技機情報を画面表示することを特徴とする請求項３に記載の遊技履歴収集システム。
【請求項５】
前記管理装置は、前記遊技者画像と一緒に該遊技者画像に対応付けて累積記憶されている前記遊技機識別情報及び遊技機情報を画面表示することを特徴とする請求項４に記載の遊技履歴収集システム。
【請求項６】
前記記憶装置にデータ通信可能に接続された情報表示端末と、前記情報表示端末に接続された情報表示端末用撮像装置とを備え、前記情報表示端末は、前記情報表示端末用撮像装置によって撮像された遊技者画像を検索キーとして、前記記憶装置から前記遊技者画像に対応付けて累積記憶されている前記遊技機識別情報及び遊技機情報を画面表示することを特徴とする請求項３に記載の遊技履歴収集システム。
【手続補正２】
【補正対象書類名】明細書
【補正対象項目名】０００４
【補正方法】変更
【補正の内容】
【０００４】
【発明が解決しようとする課題】
本発明の目的は、会員カードを持たなくとも、遊技者個人の遊技履歴を収集して記憶することができ、遊技客がホールに通い出して途中から会員登録した場合であっても、この遊技客の会員登録する前の遊技履歴を全て会員情報に対応付けることができる遊技履歴収集システムを提供することにある。
【手続補正３】
【補正対象書類名】明細書
【補正対象項目名】０００５
【補正方法】変更
【補正の内容】
【０００５】
【課題を解決するための手段】
請求項１に係る遊技履歴収集システムは、上記課題を解決するために、遊技場内に設置された各遊技機と、前記各遊技機に対応して設けられると共に該各遊技機で遊技している遊技者の生体固有情報を取得する各生体固有情報取得装置と、前記各遊技機及び前記各生体固有情報取得装置に対してデータ通信可能に接続された管理装置と、前記管理装置にデータ通信可能に接続された記憶装置と、前記管理装置に接続された会員登録者の生体固有情報を取得する会員登録用の生体固有情報取得装置とを備え、前記管理装置は、前記各生体固有情報取得装置によって取得された遊技者の生体固有情報に対応付けて前記各遊技機の遊技機識別情報及び遊技機情報を前記記憶装置に順次累積記憶する手段と、前記会員登録用の生体固有情報取得装置によって取得された会員登録者の生態固有情報に一致する遊技者の生体固有情報が前記記憶装置に記憶されている記憶済みの遊技者の生体固有情報の中にあるか否かを判別し、記憶済みの遊技者の生体固有情報の中にある場合に、前記記憶済みの遊技者の生体固有情報、及び前記遊技者の生体固有情報に対応付けて記憶された前記各遊技機の遊技機識別情報及び遊技機情報、に対応付けして会員情報の登録を行う手段と、を備えたことを特徴とする。
【手続補正４】
【補正対象書類名】明細書
【補正対象項目名】０００６
【補正方法】変更
【補正の内容】
【０００６】
請求項２に係る遊技履歴収集システムは、請求項１に記載のものにおいて、前記会員登録用の生体固有情報取得装置によって取得された会員登録者の生態固有情報に一致する遊技者の生体固有情報が前記記憶装置に記憶されている記憶済みの遊技者の生体固有情報の中に複数ある場合に、各生体固有情報に対応付けて累積記憶されている遊技機情報及び生体固有情報のうち少なくとも１つを画面表示すると共に、画面表示されている複数の生体固有情報及び／又は遊技機情報のそれぞれについて選択入力の受け付けが可能とされ、選択入力があると、選択入力の結果に応じて生体固有情報及び／又は遊技機情報に対応付けして会員情報の登録を行うことを特徴とするものである。
【手続補正５】
【補正対象書類名】明細書
【補正対象項目名】０００７
【補正方法】変更
【補正の内容】
【０００７】
請求項３に係る遊技履歴収集システムは、請求項１又は２に記載のものにおいて、前記生体固有情報取得装置は、遊技者を撮像する撮像装置であり、前記生体固有情報取得装置によって取得された遊技者の生体固有情報は、前記撮像装置によって撮像された遊技者画像であることを特徴とするものである。
【手続補正６】
【補正対象書類名】明細書
【補正対象項目名】０００８
【補正方法】変更
【補正の内容】
【０００８】
請求項４に係る遊技履歴収集システムは、請求項３に記載のものにおいて、前記管理装置は、前記記憶装置から前記遊技者画像に対応付けて累積記憶されている前記遊技機識別情報及び遊技機情報を画面表示することを特徴とするものである。
【手続補正７】
【補正対象書類名】明細書
【補正対象項目名】０００９
【補正方法】変更
【補正の内容】
【０００９】
請求項５に係る遊技履歴収集システムは、請求項４に記載のものにおいて、前記管理装置は、前記遊技者画像と一緒に該遊技者画像に対応付けて累積記憶されている前記遊技機識別情報及び遊技機情報を画面表示することを特徴とするものである。
【手続補正８】
【補正対象書類名】明細書
【補正対象項目名】００１０
【補正方法】変更
【補正の内容】
【００１０】
請求項６に係る遊技履歴収集システムは、請求項３に記載のものにおいて、前記記憶装置にデータ通信可能に接続された情報表示端末と、前記情報表示端末に接続された情報表示端末用撮像装置とを備え、前記情報表示端末は、前記情報表示端末用撮像装置によって撮像された遊技者画像を検索キーとして、前記記憶装置から前記遊技者画像に対応付けて累積記憶されている前記遊技機識別情報及び遊技機情報を画面表示することを特徴とするものである。
【手続補正９】
【補正対象書類名】明細書
【補正対象項目名】００７２
【補正方法】変更
【補正の内容】
【００７２】
【発明の効果】
請求項１に係る遊技履歴収集システムによれば、遊技場内に設置された各遊技機に対応して設けた各生体固有情報取得装置によって、該各遊技機で遊技している遊技者に固有の生体固有情報を取得し、管理装置により、取得した生体固有情報に対応付けて各遊技機の遊技機識別情報及び遊技機情報を記憶装置に順次累積記憶するようにしたので、会員カードがなくとも、遊技者から取得した生体固有情報に対応付けて遊技者個人の遊技履歴を収集して記憶することができる。従って、会員ＩＤが記憶された会員カードを使用しない遊技者による遊技履歴を加工データに反映させることができる。会員登録用の生体固有情報取得装置によって取得された会員登録者の生態固有情報に一致する遊技者の生体固有情報が記憶装置に記憶されている記憶済みの遊技者の生体固有情報の中にあるか否かを判別し、記憶済みの遊技者の生体固有情報の中にある場合に、記憶済みの遊技者の生体固有情報、及び前記遊技者の生体固有情報に対応付けて記憶された各遊技機の遊技機識別情報及び遊技機情報、に対応付けして会員情報の登録を行うので、遊技客がホールに通い出して途中から会員登録した場合であっても、この遊技客の会員登録する前の遊技履歴を全て会員情報に対応付けることができる。
【手続補正１０】
【補正対象書類名】明細書
【補正対象項目名】００７３
【補正方法】変更
【補正の内容】
【００７３】
請求項２に係る遊技履歴収集システムによれば、会員登録用の生体固有情報取得装置によって取得された会員登録者の生態固有情報に一致する遊技者の生体固有情報が記憶装置に記憶されている記憶済みの遊技者の生体固有情報の中に複数ある場合に、各生体固有情報に対応付けて累積記憶されている遊技機情報及び生体固有情報のうち少なくとも１つを画面表示すると共に、画面表示されている複数の生体固有情報及び／又は遊技機情報のそれぞれについて選択入力の受け付けが可能とされ、選択入力があると、選択入力の結果に応じて生体固有情報及び／又は遊技機情報に対応付けして会員情報の登録を行うので、生体固有情報による検索において、検索ヒット率が信頼できるレベルに達していない可能性がある場合、特定しようとする会員登録者の生体固有情報に対して、既に登録されている遊技者の生体固有情報及び／又は遊技機情報の候補が複数検索される場合があり、このように、会員登録する会員登録者に対応する遊技者の生体固有情報及び／又は遊技機情報の候補が複数検索された場合、オペレータに、実際の顧客の顔や顧客から聞き出した来店日や遊技履歴とを比較して会員登録する遊技者の生体固有情報及び／又は遊技機情報を選択して会員情報に対応付けて登録させることができる。
【手続補正１１】
【補正対象書類名】明細書
【補正対象項目名】００７４
【補正方法】変更
【補正の内容】
【００７４】
請求項３に係る遊技履歴収集システムによれば、会員カードがなくとも、遊技者を撮像した遊技者画像に対応付けて遊技者個人の遊技履歴を収集して記憶することができる。従って、会員ＩＤが記憶された会員カードを使用しない遊技者による遊技履歴を加工データに反映させることができる。また、生体固有情報取得装置として撮像装置を用いているので、実現が最も簡単であり、生体固有情報が遊技者の顔の画像であるため、画像をモニタすることで確認も容易にできる。
【手続補正１２】
【補正対象書類名】明細書
【補正対象項目名】００７５
【補正方法】変更
【補正の内容】
【００７５】
請求項４に係る遊技履歴収集システムによれば、管理装置が記憶装置から遊技者画像に対応付けて累積記憶されている遊技機識別情報及び遊技機情報を画面表示するので、管理装置で会員カードを使用しない遊技者による遊技履歴を確認することができる。
【手続補正１３】
【補正対象書類名】明細書
【補正対象項目名】００７６
【補正方法】変更
【補正の内容】
【００７６】
請求項５に係る遊技履歴収集システムによれば、管理装置が遊技者画像と一緒に該遊技者画像に対応付けて累積記憶されている遊技機識別情報及び遊技機情報を画面表示するので、不正を行おうとする遊技者は、会員カードを使用しないものであるが、遊技者が知らずしらずのうちに遊技者画像と遊技履歴が収集されて記憶されているので、不正の発見が容易となると共に、遊技者画像が遊技履歴と一緒に画面表示されるため、不正した遊技者を容易に特定することができる。
【手続補正１４】
【補正対象書類名】明細書
【補正対象項目名】００７７
【補正方法】変更
【補正の内容】
【００７７】
請求項６に係る遊技履歴収集システムによれば、記憶装置にデータ通信可能に接続された情報表示端末と、情報表示端末に接続された情報表示端末用撮像装置とを備え、情報表示端末は、情報表示端末用撮像装置によって撮像された遊技者画像を検索キーとして、記憶装置から遊技者画像に対応付けて累積記憶されている遊技機識別情報及び遊技機情報を画面表示するので、会員が会員カードを忘れた場合や、遊技者がホールに通い出して途中から会員登録した場合等、会員カードを持ち得ない時の遊技履歴を表示できるので、自己の遊技履歴を確認したい遊技者に対して、質の高いサービスを提供することができる。